(57)【要約】【課題】本実施形態では、端末と電子機器を組み合わせて、両者及び両者の画面を有効活用することができる電子機器を提供する。【解決手段】電子機器の制御部において、通信制御部２０３は複数の端末と通信を行うことができる。表示処理部２１１は、前記複数の端末に対応している複数の表示エリアを表示器に確保することができる。【選択図】図１
2013135411.tif 000002
【特許請求の範囲】
【請求項１】
複数の端末と通信を行う通信制御部と、
前記複数の端末に対応している複数の表示エリアを表示部に確保し、前記複数の端末のうちの第１の端末から受信したコンテンツに関する情報を用いて、前記表示部の前記第１の端末に対応する表示エリアに前記コンテンツを表示させる表示処理部と、を有する電子機器。
【請求項２】
前記表示処理部は、前記複数の端末の識別マークを前記複数の表示エリアに表示する請求項１記載の電子機器。
【請求項３】
前記通信制御部は、前記複数の端末のうちの第１の端末から興味情報を取得し、前記興味情報を、第２の端末に転送する請求項１記載の電子機器。
【請求項４】
さらに操作コマンド処理部を有し、一括転送指令信号を前記操作コマンド処理部が検出したとき、前記通信制御部は、前記興味情報を、第２の端末に転送する請求項１記載の電子機器。
【請求項５】
表示処理部は、前記第１の端末に対応する表示エリアには、情報の送り側である示す第１の通知表示をし、前記第２の端末に対応する表示エリアには、情報の受けとり側であることを示す第２の通知表示を行う請求項１記載の電子機器。
【請求項６】
前記興味情報は、前記第１の端末が取得しているコンテンツ、または前記コンテンツを取得するために必要な少なくともネットワークアドレスである請求項３又は４記載の電子機器。
【請求項７】
前記通信制御部は、前記第１の端末からコンテンツ及びネットワークアドレスを含む興味情報を取得した場合、前記ネットワークアドレスを用いて外部サーバーから、前記コンテンツよりも解像度の高い同じ内容のコンテンツを取得する請求項１記載の電子機器。
【請求項８】
前記操作コマンド処理部及び前記表示処理部は、前記第１、第２の端末から取得した第１、第２の映像データの画像をフレーム単位でコマ送り或いは逆送り調整を行い、同期再生する請求項３記載の電子機器。
【請求項９】
電子機器の制御部による制御において、
複数の端末と通信を行い、
前記複数の端末に対応している複数の表示エリアを表示部に確保し、
前記複数の端末のうちの第１の端末から受信したコンテンツに関する情報を用いて、前記表示部の前記第１の端末に対応する表示エリアに前記コンテンツを表示させる
電子機器の制御方法。
【請求項１０】
前記複数の端末の内、第１の端末からコンテンツ及び又はネットワークアドレスを含む興味情報を取得し、前記興味情報を、第２の端末に転送する請求項９記載の電子機器の制御方法。
【発明の詳細な説明】
【技術分野】
【０００１】
本発明の実施形態は電子機器及びその制御方法に関する。
【背景技術】
【０００２】
テレビジョン受信装置と携帯端末を関連付けたシステムが開発されている。例えば、番組とともに付加情報（番組に関する問い合わせやイベントに参加を申し込むためのメールアドレス）が放送局から送信されることがある。テレビジョン受信装置は、付加情報を分離して携帯端末へ近距離無線で送信する。携帯端末は、付加情報をから番組に関する問い合わせやイベントに参加を申し込むためのメールアドレスを取得することができる。
【先行技術文献】
【特許文献】
【０００３】
【特許文献１】特開２００３−３３３４４３号公報
【発明の概要】
【発明が解決しようとする課題】
【０００４】
テレビジョン受信装置には、受信処理部、テレビジョン信号処理部の他に近距離無線通信器、インターネット接続が可能な有線通信送受信器、記録媒体に対する記録再生制御器などが装備される。
【０００５】
一方では、ディスプレイを大型化した携帯端末も普及している。携帯端末としては、近距離無線通信機能、電話機能、さらにはリモートコントローラ機能を備えた端末も存在する。
【０００６】
本実施形態では、複数の端末と電子機器（例えばテレビジョン受信装置）を組み合わせて、両者及び両者の画面を有効活用することができる電子機器及びその制御方法を提供することを目的とする。
【課題を解決するための手段】
【０００７】
実施形態の電子機器によれば、複数の端末と通信を行う通信制御部と、前記複数の端末に対応している複数の表示エリアを表示部に確保し、前記複数の端末のうちの第１の端末から受信したコンテンツに関する情報を用いて、前記表示部の前記第１の端末に対応する表示エリアに前記コンテンツを表示させる表示処理部を有する。
【図面の簡単な説明】
【０００８】
【図１】実施形態に係る電子機器（例えばテレビジョン受信装置）の構成例を示すブロック図である。
【図２】実施形態に係る端末の構成例を示すブロック図である。
【図３】実施形態に係る電子機器とコミュニケーションを可能とする複数の端末の使用状態の一例を示す図である。
【図４】実施形態に係る端末からの送信データを表示可能な表示エリアを確保した電子機器の様子を示す図である。
【図５】実施形態に係る端末と電子機器の動作例を示す図である。
【図６】実施形態に係る端末と電子機器のコミュニケーション動作の例を示す図である。
【図７】他の実施形態に係る端末と電子機器のコミュニケーション動作の例を示す図である。
【発明を実施するための形態】
【０００９】
以下、実施の形態について図面を参照して説明する。図１は本実施形態に関わる電子機器としてのテレビジョン受信装置の構成例を示すブロック図であり、図２は同じく本実施形態に関わる端末の構成例を示すブロック図である。電子器としては例えば記録再生装置、パーソナルコンピュータなどが可能である。
【００１０】
受信装置は、例えばスクランブルされたデジタル地上波放送信号を受信する複数のチューナ１０２を有する。その他、例えばＢＳ／ＣＳデジタル放送受信用のチューナ（図示せず）が設けられてもよい。
【００１１】
チューナ１０２で受信された放送番組の信号は、ＴＳ処理部１２２に入力され、複数のチャンネル（ＣＨ）のＴＳ（Ｔｒａｎｓｐｏｒｔ Ｓｔｒｅａｍ）が１つのＴＳに再多重される。多重ＴＳは各チャンネルの放送番組のパケット列を含む。各チャンネルのパケットには、チャンネル及びパケット識別用の識別情報が付加されている。多重ＴＳは、記憶装置１１１に入力される。またＴＳ処理部１２２に入力したＴＳの中で、制御情報を含むパケットは、制御部２００に入力されて処理される。
【００１２】
記憶装置１１１は、例えば、ハードディスクドライバー、光ディスク記録再生装置を含む。光ディスクにはデジタルバーサタイルディスク（ＤＶＤ），ブルーレイディスク（ＢＤ）などが含まれる。
【００１３】
ＴＳ処理部１２２から制御部２００に送られるパケットは、例えば、放送番組の暗号化情報であるＥＣＭ（Entitlement Control Message）と、番組名、出演者、開始時刻などのイベント情報を記述したテーブルであるＥＩＴ（Event Information Table）などの情報、ＥＰＧ（Electric Program Guide：電子番組ガイド）情報を含む。
【００１４】
パケットに含まれる映像データは、例えばＭＰＥＧ(Moving Picture Expert Group)方式、ＡＶＣ(Advanced Video Coding)方式などでエンコードされている。またオーディオパケット内のオーディオデータは、例えば、ＰＣＭ(Pulse Code Modulation)方式、ＭＰＥＧ方式などでエンコードされている。ＡＶデコーダ１２６は、番組の映像パケットと、オーディオパケットを分離し、各パケット内のデータを各方式に応じてデコードする。
【００１５】
したがって、ＴＳ処理部１２２で分離されたパケットの中でオーディオデータを含むパケットは、オーディオデコーダ１２３に入力され、符号化方式に応じた復号化が実施される。オーディオデコーダ１２３でデコードされたオーディオデータは、オーディオデータ処理部１２４で同期処理、音量調整などを施され、オーディオ出力部１２５に供給される。オーディオ出力部１２５は、スピーカシステムに応じたステレオ分離処理などを実行し、出力をスピーカ１２６に供給する。
【００１６】
ＴＳ処理部で分離されたパケットの中で映像データを含むパケットは、映像デコーダ１３１に入力され、符号化方式に応じた復号化が実施される。映像デコーダ１３１でデコードされた映像データは、映像データ処理部１３２で、同期処理、輝度調整、色調整などが実施される。映像データ処理部１３２の出力は、映像出力部１３３に供給される。映像出力部１３３は、制御部２００からのデータ、図形、番組表などをメイン映像信号に多重することができる。また映像出力部１３３は、表示器１３４に応じたスケール、解像度、ライン数、アスペクト比などを設定して、表示器１３４に向けて出力する。
【００１７】
なお、有料番組のオーディオパケット、映像パケットが暗号化されている場合もある。この場合、鍵情報を用いて暗号化を解くための処理系統もあるがここでは省略している。
【００１８】
制御部２００は、中央演算処理ユニット（ＣＰＵ）２０１、操作コマンド処理部２０２、通信制御部２０３、操作デバイス管理部２０４、表示処理部２１１、メモリ２１２を含む。さらにＥＰＧ(Electric program guide)データ処理部、記録制御部、などを含むがここでは示していない。
【００１９】
ＣＰＵ２０１は、制御部２００の全体の動作シーケンスの調整を行っている。操作コマンド処理部２０２は、外部から入力する操作コマンドを解析し、コマンドに応じた動作を電子機器１００に反映させることができる。操作デバイス管理部２０４は、制御部２００に対して操作信号を与える端末５０１，５０２、リモートコントローラ１１５などの機器識別データを把握し、管理することができる。
【００２０】
表示処理部２１１は、映像出力部１３３を介して表示器１３４に表示される映像データを全般的に制御することができる。また表示処理部２１１は、画像データの解像度、表示サイズ、表示エリアなどの調整処理を行うこともできる。また、ＥＰＧデータを用いて作成した番組表の映像データや、操作信号に応じて制御部２００内で作成されたメニュー映像データを映像出力部１３３に供給することができる。メモリ２１２は、制御部２００内で保存する各種のデータ、アプリケーションなどを保存することができる。
【００２１】
通信制御部２０３は、外部との通信を行い、操作コマンド、データ、コンテンツ、などを取り込むことができる。取り込まれたコンテンツ、及びデータは、例えば記憶装置１１１、或いはメモリ２１２に格納されることができる。通信制御部２０３は、電子機器１００から外部に向けて、データ、コンテンツ、などを送信することができる。
【００２２】
通信制御部２０３は、無線通信送受信部１１３、有線通信送受信部１１２と接続されている。有線通信送受信部１１２は、インターネットを介して、遠隔サーバー、或いはホームサーバーとの間でデータの送受信を行うことができる。無線通信送受信部１１３は、複数の端末５０１、５０２との間でデータの送受信を行うことができ、近距離通信用である。また、電子機器１００は、リモートコントローラ１１５からの操作信号を、赤外線受信部１１４を介して受け取ることもできる。
【００２３】
端末５０１、５０２は、電子機器１００をリモートコントロールすることもできる。
【００２４】
端末５０１、５０２は、図示しない基地局、インターネットなどを介してサーバーをアクセスすることができる。サーバーが提供するコンテンツは勿論のこと、各種のアプリケーション、ゲームソフトなどをダウンロードし、無線通信送受信部１１３を介して、制御部２００に転送することが可能である。また端末５０１、５０２は、コンテンツを取得するための情報（例えばウェブサーバーのアドレス、メールアドレス、ネットワークアドレスなど）を、無線通信送受信部１１３を介して、制御部２００に転送することが可能である。
【００２５】
上記したウェブサーバーのアドレス、メールアドレスなど、さらには動画、静止画、写真画像などをここでは「お勧め情報」あるいは「興味情報」と称することにする。
【００２６】
制御部２００は、端末５０１や５０２からコンテンツ、アプリケーション、或いはゲームソフトが転送されてくるときは、通信制御部２０３が動作する。「興味情報」が転送されてきたときは、通信制御部２０３は、受け取ったコンテンツをメモリ２１２に格納する。コンテンツは、操作コマンドに応じて、或いは自動的に記憶装置１１１に格納されてもよい。記憶装置１１１は、受け取ったコンテンツを例えばハードディスクに記録させることができる。ハードディスクにおいては、コンテンツはコンテンツファイルとして管理される。
【００２７】
表示用のメニュー画像データ、番組表画像データなどは、表示処理部２１１に格納及びまたは管理されている。メニューの表示、番組表の表示が行われるときは、メニュー画面データ、番組表画像データが、表示制御部２０３の制御に基づき、データ格納部（メモリ或いはハードディスク）から読み出され、表示処理部１２８に供給される。これにより、メニュー画像や番組表画像が表示器１３０に表示される。
【００２８】
表示用のメニュー画像データ、番組表画像データなどは、端末５０１或いは５０２に送信されることもできる。端末５０１或いは５０２がメニュー画像データ、番組表画像データなど要求した場合、表示処理部２１１は、メニュー画像データ、番組表画像データを送信することができる。
【００２９】
端末５０１或いは５０２は、メニュー画像データ、番組表画像データをタッチ式パネルの画面に表示することができ、ユーザは、タッチ式パネルの画面に表示された操作ボタンに触れることにより、電子機器に動作指令信号を与えることができる。
【００３０】
図２は、端末５０１の構成例を示している。表示器３０１は映像表示部として動作し、かつタッチスクリーンとして動作することができる。メニュー画像が表示されているとき、ユーザが所望の項目にタッチすると、その操作入力が、制御部３２０の操作コマンド処理部３２４で認識される。例えば、タッチ操作が、電話機能を選択する操作入力であった場合、動作モード設定部３２６が、端末５０１を携帯電話モードに設定する。
【００３１】
表示器３０１には、ダイヤル入力を行うための操作画面が表示される。所望の宛先のダイヤル入力の操作が行われると、携帯電話機能部３２５が、データ処理部３０２、通信制御部３０３Ａ、送受信器３０４Ａ、アンテナ３０５Ａを介して通信相手の呼び出しシグナルを送信する。通信先との回線が接続状態になると、通信相手からの信号が送受信器３０４Ａ、通信制御部３０３Ａ、データ処理部３０２を介して復号される。そして音声データがスピーカ３０６から出力される。またこちらかの音声データは、マイクロホン３０７を介してデータ処理部３０２で処理され、通信制御部３０３Ａに送られる。そして送信データとして送受信器３０４Ａを介して通信相手に送信される。
【００３２】
メモリ３２１は、データを一時的に保存したり、或いはアプリケーションを格納するために利用される。３２３はバッテリであり、充電可能である。
【００３３】
端末１７１は、例えば、インターネットを介してコンテンツ或いはアプリケーションをダウンロードすることができる。またダウンロードしたコンテンツ或いはアプリケーションをデータ転送部３２７の制御に基づいて、例えば図１に示す電子機器に転送することができる。この場合、端末１７１は、外観上は中継器として機能している。近距離通信は、通信制御部３０３Ｂ、送受信器３０４Ｂ、アンテナ３０５Ｂを介して実施される。通信制御部３０３Ａ，３０３Ｂ，送受信器３０４Ａ，３０４Ｂ、アンテナ３０５Ａ、３０５Ｂは、一体化されて構成されていてもよい。そして、送受信モードに応じて遠距離通信、近距離通信が切り替えられてもよい。また端末５０１は、カメラ３０８と画像処理部３２８を有しても良い。
【００３４】
端末５０１は、外部のサーバー、或いは電子機器からコンテンツをダウンロードし、表示器３０１に表示することができる。
【００３５】
図３は電子機器１００とコミュニケーションを可能とする複数の端末５０１−５０４の使用状態の一例を示している。端末５０１−５０４は、ユーザ６１１−６１４が保有するものとする。
【００３６】
電子機器１００は近距離無線通信システムにより、管理下にある端末５０１−５０４を把握することができる。ここで、端末５０１−５０４の各ユーザが、動作モードとしてＴＶコミュニケーションモードを選択したものとする。
【００３７】
すると、電子機器１００は、図４に示すように、端末５０１−５０４からの送信データを表示可能な表示エリア５１１−５１４をスクリーン上に確保することができる。図では、４つの端末５０１−５０４のための４つの表示エリア５１１−５１４が確保されたが、端末５０４がＴＶコミュニケーションモードを選択しなかった場合は、３つの端末５０１−５０３のための３つの表示エリア５１１−５１３が確保される。
【００３８】
また、電子機器１００は、各端末５０１−５０４に対して、例えばカラーが異なる或いは形状が異なる識別データを送信することができる。識別データが表示用の点滅データであれば、点滅マーク５２１−５２４が各端末５０１−５０４の表示部で表示される。一方、電子機器１００の表示エリア５１１−５１４にも、点滅マーク５２１−５２４のそれぞれに対応した識別マーク５３１−５３４が表示される。例えば点滅マーク５２１と５３１は、形状或いは色が同じであり、点滅マーク５２２と５３２は、形状或いは色が同じであり、点滅マーク５２３と５３３は、形状或いは色が同じであり、点滅マーク５２４と５３４は、形状或いは色が同じである。識別マーク５３１−５３４は対応する端末の機種名、ユーザ名などであってもよい。
【００３９】
これにより各端末を使用しているユーザは、自分の端末に対応する電子機器上の表示エリアを容易に認識することができる。
【００４０】
次に、端末５０１から「お勧め情報」或いは「興味情報」として、コンテンツ５４１（動画、或いはデータ、或いは写真画像）が送信されたとする。すると電子機器１００では、端末５０１に対応する表示エリア５１１にコンテンツ５４１を表示する。端末５０１から「興味情報」としてサーバーのアドレス及びコンテンツＩＤが送信された場合、電子機器１００は、受け取ったアドレスを利用する。即ち、電子機器１００は、受け取ったアドレス及びコンテンツＩＤを利用して、例えばインターネット上のサーバーをアクセスし、端末５０１が表示しているコンテンツ５４１と同じコンテンツを取得することができる。
【００４１】
ここでもし、端末５０１を使用しているユーザ６１１が、他のユーザ６１２−６１４にも同じコンテンツ５４１を共有してもらいたいと思う場合がある。この場合、図５に示すように、ユーザ６１１は、端末５０１、或いはリモートコントローラ１１５を操作し、一括転送ボタンを操作する。すると、一括転送指令信号を操作コマンド処理部２０２が検出し、通信制御部２０３は、各端末５０２−５０４に同じコンテンツ５４１あるいは同じコンテンツ５４１を取得するために必要なアドレス及びコンテンツＩＤが転送される。
【００４２】
このとき、端末５０２−５０４は、受け取ったことを知らせるために、電子機器１００へコンテンツ５４１を返信してもよい。これにより、表示エリア５１２−５１４にもコンテンツ５４１が表示される。これによりユーザ６１１は、ユーザ６１２−６１４の端末５０２−５０４がコンテンツを受け取ったことを確認できる。
【００４３】
この場合、送信した側と受け取った側の識別が表示エリア５１１、５１２−５１４に表示される。送信した側と受け取った側の識別を行うための手法は各種可能である。例えば表示エリア５１１の下部に「送りました」或いは「ＯＵＴ」と表示し、表示エリア５１２，５１３，５１４の下部に「受け取りました」或いは「ＩＮ」と表示してもよい。つまり送り側であることと、受け取り側であることの通知表示を行うことができる。
【００４４】
電子機器から端末５０２−５０４へ、コンテンツ５４１或いはコンテンツ５４１を取得するに必要なアドレス及びコンテンツＩＤを配信するきっかけは、上記の説明に限定されるものではない。自動的に電子機器が端末５０１で所定のモードで表示しているコンテンツの情報を要求することから始まっても良い。
【００４５】
図６には、上記の動作経過を左側のブロック配列で示し、右側に各端末と電子機器１００間での送受信方向を示している。
【００４６】
例えば、電子機器１００が端末５０１で表示しているコンテンツの情報を取得するに必要な情報（興味情報である例えばアドレスとコンテンツＩＤ）を要求する（ステップＳＡ１，ＳＡ２，ＳＡ３）。端末５０１は、要求に応答し、前記興味情報を電子機器１００へ送信する。電子機器１００は、現在接続状態にある他の端末５０２−５０４の状態をポーリングにより把握する（ステップＳＡ４、ＳＡ５）。端末５０２−５０４がコンテンツの受け入れ可能であれば、電子機器１００は、端末５０２−５０４へ前記興味情報を送信する（ステップＳＡ６）。
【００４７】
これにより、各端末５０２−５０４は、興味情報（アドレスとコンテンツＩＤ）を用いてサーバーをアクセスし、端末５０１で視聴されているコンテンツと同じコンテントを取得することができる。
【００４８】
電子機器１００は、コンテンツを各端末５０２−５０４へ送信するのに先立ち、各端末５０２−５０４に対して、コンテンツを処理するために必要なデータ或いはアプリケーション或いは暗号化解読キーを送信してもよい。これにより、コンテンツが例えば暗号化されて送信されても、各端末５０２−５０４は容易にコンテンツの暗号化を解くことができる。また、各端末５０２−５０４はゲームソフトなどを受け取り保存することができる。
【００４９】
上記した実施形態は、種々の変形が可能である。例えば制御部２００内でコンテンツの再取得機能、コンテンツの比較機能、ゲーム処理機能、などが構築されてもよい。これらの各種機能は、例えば、ＣＰＵ２０１，メモリ２１２、操作コマンド処理部２０２、表示処理部２１１、通信制御部２０３、操作デバイス管理部２０４が一体となって、構築される。あるいは、専用の機能ブロックが制御部２００内に設けられてもよい。
【００５０】
例えば、端末５０１から、電子機器１００にコンテンツそのものが転送されたとする。この場合、電子機器１００は、端末５０１の画面よりも画面が大きいために、解像度が高いコンテンツを表示したほうが画質は良好である。このような場合、電子機器１００は、コンテンツの再取得機能の制御に基づいて、端末５０１に対して、コンテンツを取得するサーバーのアドレスを要求し、当該サーバーから高解像度のコンテンツを取得することもできる。例えば、読書用データ、アニメコンテンツなどは、高解像のコンテンツを再生することで、良好な画質の映像を視聴することができる。
【００５１】
また電子機器１００は、コンテンツの転送機能を有するが、端末５０２、５０３などにコンテンツを転送する場合、解像度の低いコンテンツを転送することができる。例えば、転送するコンテンツが端末５０１から取得した解像度の低いコンテンツであれば、そのまま端末５０２、５０３に転送する。あるいは、端末５０２、５０３の解像度に適合した解像度、サイズなどに当該コンテンツを変換して転送する。
【００５２】
電子機器１００は、大型の画面を有し、端末５０１−５０４は、小型の画面を有する。例えば、ユーザ６１１−６１４がそれぞれ端末５０１−５０４のカメラ機能を利用して、動画或いは静止画を取得したとする。このときユーザ６１１−６１４は、それぞれ端末５０１−５０４の動画或いは静止画を電子機器１００に転送することができる。電子機器１００は、受け取った動画或いは静止画を表示エリア５１１−５１４に表示して、ユーザ全員に提示することができる。
【００５３】
このとき、ユーザ６１１−６１４は、所望の動画或いは静止画があった場合、自分の端末に取り込むことも可能である。例えば端末を電子機器からのコンテンツ取り込みモードに設定する。そして電子機器１００の画面上のカーソル（点滅マークでも良い）を移動させて、他のユーザのコンテンツ画像（他のユーザの表示エリア）に設定する。次に、取り込みボタンにタッチすることで、電子機器１００から所望のコンテンツを取り込むことができる。
【００５４】
また、表示エリア５１１−５１４に各端末５０１−５０４からの動画が表示された状態で、例えば、何れかの端末で、同期表示ボタンが操作される場合がある。この場合、端末５１１−５１４は、表示エリア５１１−５１４に表示される動画のスタートフレームを調整することができる。例えば、端末５１１−５１４のコマ送りボタン或いは逆送りボタンにタッチすると表示エリア５１１−５１４の画像をフレーム単位でこま送り、或いは逆送りすることができる。この操作により表示エリア５１１−５１４に表示される動画のスタート画面が設定される。次に、何れかの端末の同期表示ボタンが操作されると、表示エリア５１１−５１４に表示される動画が同期して表示される。例えば、同じ被写体を異なる角度から撮像した動画などを点検する場合に有効である。また異なる被写体を同一時間帯で撮像した動画などを点検する場合に有効である。端末は、ムビーカメラであることもできる。
【００５５】
電子機器１００、端末５０１−５０４にゲーム用のアプリケーションを格納することも可能である。この場合、電子機器１００にゲーム画面を表示して、複数のユーザが端末５０１−５０４の操作ボタンを操作し、ゲームを楽しむことが可能である。また、端末５０１−５０４にゲーム画面を表示すると共に、操作画面を表示してもよい。ゲームの進行は、ある端末の操作画面の操作子がタッチ式パネル上で操作されることにより、次の指令信号及びゲーム変化信号が他の端末に送信され、ゲーム進行が行われる。この場合、端末間の送受信信号が電子機器を中継して送受信されてもよく、また端末間で送受信されてもよい。電子機器が、単なる中継器として機能する場合、電子機器である番組を視聴しているユーザには、ゲームが実施されることによる邪魔が画面上現れることはない。
【００５６】
図３、図４の実施形態は、端末５０１−５０４が電子機器１００の近距離無線通信エリア内に存在する例であった。しかし本発明は、この実施形態に限定されるものではない。
【００５７】
図７は、他の実施形態を示している。今、ユーザ６００が、端末５００を操作し、生徒６０１−６０４の端末５０１−５０４へ問題を送信したとする。生徒６０１−６０４は、端末５０１−５０４を操作して、端末５００に回答を返信する。
【００５８】
この場合、端末５００においても先の電子機器の例と同様に各端末５０１−５０４のための表示エリアを確保し、各端末５０１−５０４からの回答をユーザ６００は見ることができる。しかし、複数の表示エリアを端末５００のスクリーンに確保して、回答をチェックすることは表示エリアが狭すぎる場合がある。
【００５９】
そこでユーザ６００は、端末５００のコンテンツを電子機器１００へ転送して、各端末５０１−５０４からの回答を大画面で比較しながらチェックすることが可能である。なお各端末５０１−５０４からの回答が、直接、電子機器１００へ伝送されてもよい。
【００６０】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６１】
１００・・・電子機器、１０２・・・チューナ、１１１・・・記憶装置、１２２・・・ＴＳ処理部、１２３・・・オーディオデコーダ、１２４・・・オーディオデータ処理部、１２５・・・オーディオ出力部、１２６・・・スピーカ、１３１・・・映像デコーダ、１３２・・・映像データ処理部、１３３・・・映像出力部、１３４・・・表示器、２００・・・制御部、２０１・・・ＣＰＵ、２０２・・・操作コマンド処理部、２０３・・・通信制御部、２０４・・・操作デバイス管理部、２１１・・・表示処理部、２１２・・・メモリ。
【図１】
2013135411.tif 000003
【図２】
2013135411.tif 000004
【図３】
2013135411.tif 000005
【図４】
2013135411.tif 000006
【図５】
2013135411.tif 000007
【図６】
2013135411.tif 000008
【図７】
2013135411.tif 000009
【手続補正書】
【提出日】平成24年9月18日(2012.9.18)
【手続補正１】
【補正対象書類名】特許請求の範囲
【補正対象項目名】全文
【補正方法】変更
【補正の内容】
【特許請求の範囲】
【請求項１】
複数の端末と通信を行うように構成された通信制御部と、
前記複数の端末に対応している複数の表示エリアを表示部に配置し、前記複数の端末のうちの第１の端末から受信したコンテンツに関する情報を用いて、前記表示部の前記第１の端末に対応する表示エリアに前記コンテンツを表示させるように構成された表示処理部と、を有する電子機器。
【請求項２】
前記表示処理部は、前記複数の端末の識別マークを前記複数の表示エリアに表示するように構成された請求項１記載の電子機器。
【請求項３】
前記通信制御部は、前記複数の端末のうちの第１の端末から興味情報を取得し、前記興味情報を、第２の端末に転送する請求項１記載の電子機器。
【請求項４】
さらに操作コマンド処理部を有し、一括転送指令信号を前記操作コマンド処理部が検出したとき、前記通信制御部は、前記興味情報を、第２の端末に転送する請求項１記載の電子機器。
【請求項５】
表示処理部は、前記第１の端末に対応する表示エリアには、情報の送り側である示す第１の通知表示をし、前記第２の端末に対応する表示エリアには、情報の受けとり側であることを示す第２の通知表示を行うように構成された請求項１記載の電子機器。
【請求項６】
前記興味情報は、前記第１の端末が取得しているコンテンツ、または前記コンテンツを取得するために必要な少なくともネットワークアドレスである請求項３記載の電子機器。
【請求項７】
前記興味情報は、前記第１の端末が取得しているコンテンツ、または前記コンテンツを取得するために必要な少なくともネットワークアドレスである請求項４記載の電子機器。
【請求項８】
前記通信制御部は、前記第１の端末からコンテンツ及びネットワークアドレスを含む興味情報を取得した場合、前記ネットワークアドレスを用いて外部サーバーから、前記コンテンツよりも解像度の高い同じ内容のコンテンツを取得する請求項１記載の電子機器。
【請求項９】
前記操作コマンド処理部及び前記表示処理部は、前記第１、第２の端末からそれぞれ取得した第１、第２の映像データの画像をフレーム単位でコマ送り或いは逆送り調整を行い、同期再生する請求項４記載の電子機器。
【請求項１０】
電子機器の制御部により制御が実行される電子機器の制御方法であって、
複数の端末と通信を行い、
前記複数の端末に対応している複数の表示エリアを表示部に確保し、
前記複数の端末のうちの第１の端末から受信したコンテンツに関する情報を用いて、前記表示部の前記第１の端末に対応する表示エリアに前記コンテンツを表示させる
電子機器の制御方法。
【請求項１１】
前記複数の端末の内、第１の端末からコンテンツ及び又はネットワークアドレスを含む興味情報を取得し、前記興味情報を、第２の端末に転送する請求項１０記載の電子機器の制御方法。
【手続補正２】
【補正対象書類名】明細書
【補正対象項目名】０００６
【補正方法】変更
【補正の内容】
【０００６】
この実施の形態は、複数の端末と通信を行うように構成された通信制御部と、前記複数の端末に対応している複数の表示エリアを表示部に配置し、前記複数の端末のうちの第１の端末から受信したコンテンツに関する情報を用いて、前記表示部の前記第１の端末に対応する表示エリアに前記コンテンツを表示させるように構成された表示処理部を有する。
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
第１の端末及び第２の端末と通信を行うように構成された通信制御部と、
前記第１の端末及び第２の端末に対応している第１と第２の表示エリアを表示部に配置し、
前記第１の端末及び第２の端末の識別マークを前記第１と第２の表示エリアに出力し、
ユーザ操作により、前記第１の端末から受信したコンテンツに関する情報を用いて、前記第１と第２の表示エリアに同じ被写体を異なる角度から撮像したコンテンツとして出力する表示処理部と、を有する電子機器。
【請求項２】
前記表示処理部は、前記第１の端末及び第２の端末からそれぞれ取得した第１、第２のコンテンツの画像を操作入力に応じてフレーム単位でコマ送り或いは逆送り調整を行い、同期再生する請求項１記載の電子機器。
【請求項３】
前記通信制御部は、前記第１の端末からコンテンツを取得するための情報を取得し、前記コンテンツを取得するための情報を、第２の端末に転送する請求項１記載の電子機器。
【請求項４】
さらに操作コマンド処理部を有し、一括転送指令信号を前記操作コマンド処理部が検出したとき、前記通信制御部は、前記コンテンツを取得するための情報を、前記第２の端末及び第３の端末に転送する請求項１記載の電子機器。
【請求項５】
表示処理部は、前記第１の端末に対応する表示エリアには、情報の送り側である示す第１の通知表示をし、前記第２の端末に対応する表示エリアには、情報の受けとり側であることを示す第２の通知表示を行うように構成された請求項１記載の電子機器。
【請求項６】
前記コンテンツを取得するための情報は、前記コンテンツを取得するために必要な少なくともネットワークアドレスである請求項２又は３記載の電子機器。
【請求項７】
前記通信制御部は、前記第１の端末からコンテンツ及びネットワークアドレスを含むコンテンツを取得するための情報を取得した場合、前記ネットワークアドレスを用いて外部サーバーから、前記コンテンツよりも解像度の高い同じ内容のコンテンツを取得する請求項１記載の電子機器。
【請求項８】
電子機器の通信制御部及び表示処理部が制御部により制御される電子機器の制御方法であって、
第１の端末及び第２の端末と通信を行い、
前記第１の端末及び第２の端末に対応している第１と第２の表示エリアを表示部に配置し、
前記第１の端末及び第２の端末の識別マークを前記第１と第２の表示エリアに出力し、
ユーザ操作により、前記第１の端末から受信したコンテンツに関する情報を用いて、前記第１と第２の表示エリアに同じ被写体を異なる角度から撮像したコンテンツとして出力する
電子機器の制御方法。
【請求項９】
前記複数の端末の内、第１の端末からコンテンツ及び又はネットワークアドレスを含む情報を取得し、前記情報を、第２の端末に転送する請求項８記載の電子機器の制御方法。
【手続補正２】
【補正対象書類名】明細書
【補正対象項目名】０００７
【補正方法】変更
【補正の内容】
【０００７】
実施形態の電子機器によれば、第１の端末及び第２の端末と通信を行うように構成された通信制御部と、前記第１の端末及び第２の端末に対応している第１と第２の表示エリアを表示部に配置し、前記第１の端末及び第２の端末の識別マークを前記第１と第２の表示エリアに出力し、ユーザ操作により、前記第１の端末から受信したコンテンツに関する情報を用いて、前記第１と第２の表示エリアに同じ被写体を異なる角度から撮像したコンテンツとして出力する表示処理部と、を有する。